(57)【要約】【課題】電子機器の表示に対する視認性を向上させることが可能な技術を提供する。【解決手段】電子機器は、表示領域に表示を行う表示パネル１２０と、視線検出部３２０と、距離取得部３１０とを備えている。視線検出部３２０は、ユーザの表示領域への視線を検出する。距離取得部３１０は、電子機器とユーザの目との間の距離を取得する。表示パネル１２０は、視線検出部３２０においてユーザの表示領域への視線が検出されている場合に、距離取得部３１０で取得される距離が変化すると、表示領域での情報の表示サイズを大きくする。【選択図】図４
2014106381.tif 000002
【特許請求の範囲】
【請求項１】
電子機器であって、
表示領域に表示を行う表示部と、
ユーザの前記表示領域への視線を検出する視線検出部と、
前記電子機器と前記ユーザの目との間の距離を取得する距離取得部と
を備え、
前記表示部は、前記視線検出部で前記視線が検出されている場合に、前記距離取得部で取得される前記距離が変化すると、前記表示領域での情報の表示サイズを大きくする、電子機器。
【請求項２】
請求項１に記載の電子機器であって、
前記表示部は、前記視線検出部において前記視線が検出されている場合に、前記距離取得部で取得される前記距離が大きくなると、前記表示領域での情報の表示サイズを大きくするとともに、当該情報の表示明度と背景の表示明度との差を大きくする、電子機器。
【請求項３】
電子機器であって、
表示領域に表示を行う表示部と、
ユーザの前記表示領域への視線を検出する視線検出部と、
前記電子機器の加速度を取得する加速度取得部と
を備え、
前記表示部は、前記視線検出部で前記視線が検出されている場合に、前記加速度取得部で取得される前記加速度が変化すると、前記表示領域での情報の表示サイズを大きくする、電子機器。
【請求項４】
請求項１乃至請求項３のいずれか一つに記載の電子機器であって、
前記表示部は、前記表示領域での情報の表示サイズを大きくした後に、前記視線検出部で前記視線が検出されなくなると、当該表示サイズを元に戻す、電子機器。
【請求項５】
請求項１及び請求項２のいずれか一つに記載の電子機器であって、
前記距離取得部は、前記視線検出部で前記視線が検出されるようになった際に前記距離としての第１距離を取得し、その後、一定時間経過後に前記距離としての第２距離を取得し、
前記表示部は、前記第２距離が前記第１距離から変化している場合に、前記表示領域での情報の表示サイズを大きくする、電子機器。
【請求項６】
請求項３に記載の電子機器であって、
前記加速度取得部は、前記視線検出部で前記視線が検出されるようになった際に前記加速度としての第１加速度を取得し、その後、一定時間経過後に前記加速度としての第２加速度を取得し、
前記表示部は、前記第２加速度が前記第１加速度から変化している場合に、前記表示領域での情報の表示サイズを大きくする、電子機器。
【請求項７】
請求項１及び請求項２のいずれか一つに記載の電子機器であって、
前記距離取得部は、前記視線検出部で前記視線が検出されている場合には、前記距離の取得を繰り返して行い、
前記表示部は、前記距離取得部で取得された前記距離が、その直前に前記距離取得部で取得された前記距離から変化すると、前記表示領域での情報の表示サイズを大きくする、電子機器。
【請求項８】
請求項３に記載の電子機器であって、
前記加速度取得部は、前記視線検出部で前記視線が検出されている場合には、前記加速度の取得を繰り返して行い、
前記表示部は、前記加速度取得部で取得された前記加速度が、その直前に前記加速度取得部で取得された前記加速度から変化すると、前記表示領域での情報の表示サイズを大きくする、電子機器。
【請求項９】
請求項１及び請求項２のいずれか一つに記載の電子機器であって、
前記距離取得部は、前記視線検出部で前記視線が検出されている場合に、前記表示領域に表示される表示画面が変化すると前記距離としての第１距離を取得し、その後、一定時間経過後に前記距離としての第２距離を取得し、
前記表示部は、前記第２距離が前記第１距離から変化している場合に、前記表示領域での情報の表示サイズを大きくする、電子機器。
【請求項１０】
請求項３に記載の電子機器であって、
前記加速度取得部は、前記視線検出部で前記視線が検出されている場合に、前記表示領域に表示される表示画面が変化すると前記加速度としての第１加速度を取得し、その後、一定時間経過後に前記加速度としての第２加速度を取得し、
前記表示部は、前記第２加速度が前記第１加速度から変化している場合に、前記表示領域での情報の表示サイズを大きくする、電子機器。
【請求項１１】
表示領域を有する電子機器を制御するための制御プログラムであって、
前記電子機器に、
（ａ）ユーザの前記表示領域への視線を検出する工程と、
（ｂ）前記電子機器と前記ユーザの目との間の距離、あるいは前記電子機器の加速度を取得する工程と、
（ｃ）前記視線が検出されている場合に、前記距離あるいは前記加速度が変化すると、前記表示領域での情報の表示サイズを大きくする工程と
を実行させるための制御プログラム。
【請求項１２】
表示領域を有する電子機器での表示制御方法であって、
（ａ）ユーザの前記表示領域への視線を検出する工程と、
（ｂ）前記電子機器と前記ユーザの目との間の距離、あるいは前記電子機器の加速度を取得する工程と、
（ｃ）前記視線が検出されている場合に、前記距離あるいは前記加速度が変化すると、前記表示領域での情報の表示サイズを大きくする工程と
を備える、表示制御方法。
【発明の詳細な説明】
【技術分野】
【０００１】
本発明は、電子機器での表示制御に関する。
【背景技術】
【０００２】
特許文献１〜４に記載されているように、従来から表示機能を有する電子機器に関して様々な技術が提案されている。
【０００３】
また特許文献５〜７には、視線を検出する視線検出技術が開示されている。また特許文献８には、電子スチルカメラと被写体との間の距離を求める技術が開示されている。
【先行技術文献】
【特許文献】
【０００４】
【特許文献１】特開２０１０−２５８９４０号公報
【特許文献２】特開２００７−６５５４１号公報
【特許文献３】特許第４７４３２３４号公報
【特許文献４】実用新案登録第３０７５９７１号公報
【特許文献５】特開２００７−２９７１２号公報
【特許文献６】特開２００３−１９６０１７号公報
【特許文献７】特開２００３−１５０３０６号公報
【特許文献８】特開２００３−７５７１７号公報
【発明の概要】
【発明が解決しようとする課題】
【０００５】
さて、表示機能を有する電子機器では、その表示に対する視認性が向上することが望まれている。
【０００６】
そこで、本発明は上述の点に鑑みて成されたものであり、電子機器の表示に対する視認性を向上させることが可能な技術を提供することを目的とする。
【課題を解決するための手段】
【０００７】
上記課題を解決するため、本発明に係る電子機器の一態様は、表示領域に表示を行う表示部と、ユーザの前記表示領域への視線を検出する視線検出部と、前記電子機器と前記ユーザの目との間の距離を取得する距離取得部とを備え、前記表示部は、前記視線検出部で前記視線が検出されている場合に、前記距離取得部で取得される前記距離が変化すると、前記表示領域での情報の表示サイズを大きくする。
【０００８】
また、本発明に係る電子機器の一態様では、前記表示部は、前記視線検出部において前記視線が検出されている場合に、前記距離取得部で取得される前記距離が大きくなると、前記表示領域での情報の表示サイズを大きくするとともに、当該情報の表示明度と背景の表示明度との差を大きくする。
【０００９】
また、本発明に係る電子機器の一態様は、表示領域に表示を行う表示部と、ユーザの前記表示領域への視線を検出する視線検出部と、前記電子機器の加速度を取得する加速度取得部とを備え、前記表示部は、前記視線検出部で前記視線が検出されている場合に、前記加速度取得部で取得される前記加速度が変化すると、前記表示領域での情報の表示サイズを大きくする。
【００１０】
また、本発明に係る電子機器の一態様では、前記表示部は、前記表示領域での情報の表示サイズを大きくした後に、前記視線検出部で前記視線が検出されなくなると、当該表示サイズを元に戻す。
【００１１】
また、本発明に係る電子機器の一態様では、前記距離取得部は、前記視線検出部で前記視線が検出されるようになった際に前記距離としての第１距離を取得し、その後、一定時間経過後に前記距離としての第２距離を取得し、前記表示部は、前記第２距離が前記第１距離から変化している場合に、前記表示領域での情報の表示サイズを大きくする。
【００１２】
また、本発明に係る電子機器の一態様では、前記加速度取得部は、前記視線検出部で前記視線が検出されるようになった際に前記加速度としての第１加速度を取得し、その後、一定時間経過後に前記加速度としての第２加速度を取得し、前記表示部は、前記第２加速度が前記第１加速度から変化している場合に、前記表示領域での情報の表示サイズを大きくする。
【００１３】
また、本発明に係る電子機器の一態様では、前記距離取得部は、前記視線検出部で前記視線が検出されている場合には、前記距離の取得を繰り返して行い、前記表示部は、前記距離取得部で取得された前記距離が、その直前に前記距離取得部で取得された前記距離から変化すると、前記表示領域での情報の表示サイズを大きくする。
【００１４】
また、本発明に係る電子機器の一態様では、前記加速度取得部は、前記視線検出部で前記視線が検出されている場合には、前記加速度の取得を繰り返して行い、前記表示部は、前記加速度取得部で取得された前記加速度が、その直前に前記加速度取得部で取得された前記加速度から変化すると、前記表示領域での情報の表示サイズを大きくする。
【００１５】
また、本発明に係る電子機器の一態様では、前記距離取得部は、前記視線検出部で前記視線が検出されている場合に、前記表示領域に表示される表示画面が変化すると前記距離としての第１距離を取得し、その後、一定時間経過後に前記距離としての第２距離を取得し、前記表示部は、前記第２距離が前記第１距離から変化している場合に、前記表示領域での情報の表示サイズを大きくする。
【００１６】
また、本発明に係る電子機器の一態様では、前記加速度取得部は、前記視線検出部で前記視線が検出されている場合に、前記表示領域に表示される表示画面が変化すると前記加速度としての第１加速度を取得し、その後、一定時間経過後に前記加速度としての第２加速度を取得し、前記表示部は、前記第２加速度が前記第１加速度から変化している場合に、前記表示領域での情報の表示サイズを大きくする。
【００１７】
また、本発明に係る制御プログラムの一態様は、表示領域を有する電子機器を制御するための制御プログラムであって、前記電子機器に、（ａ）ユーザの前記表示領域への視線を検出する工程と、（ｂ）前記電子機器と前記ユーザの目との間の距離、あるいは前記電子機器の加速度を取得する工程と、（ｃ）前記視線が検出されている場合に、前記距離あるいは前記加速度が変化すると、前記表示領域での情報の表示サイズを大きくする工程とを実行させるためのものである。
【００１８】
また、本発明に係る表示制御方法の一態様は、表示領域を有する電子機器での表示制御方法であって、（ａ）ユーザの前記表示領域への視線を検出する工程と、（ｂ）前記電子機器と前記ユーザの目との間の距離、あるいは前記電子機器の加速度を取得する工程と、（ｃ）前記視線が検出されている場合に、前記距離あるいは前記加速度が変化すると、前記表示領域での情報の表示サイズを大きくする工程とを備える。
【発明の効果】
【００１９】
本発明によれば、電子機器の表示に対する視認性が向上する。
【図面の簡単な説明】
【００２０】
【図１】電子機器の外観を示す前面図である。
【図２】電子機器の外観を示す裏面図である。
【図３】電子機器の電気的構成を示す図である。
【図４】制御部の複数の機能ブロックを示す図である。
【図５】電子機器の動作を示すフローチャートである。
【図６】変形例に係る電子機器の構成の一部を示す図である。
【図７】変形例に係る電子機器の動作を示すフローチャートである。
【発明を実施するための形態】
【００２１】
＜電子機器の外観＞
図１，２は、それぞれ、実施の形態に係る電子機器１の外観を示す前面図及び裏面図である。本実施の形態に係る電子機器１は、例えば携帯電話機であって、基地局及びサーバ等を通じて他の通信装置と通信することが可能である。図１及び２に示されるように、電子機器１は、カバーパネル２とケース部分３を備えており、カバーパネル２とケース部分３とが組み合わされることによって、平面視で略長方形の板状を成す機器ケース４が構成されている。
【００２２】
カバーパネル２は、平面視において略長方形を成しており、電子機器１の前面部分における、周縁部分以外の部分を構成している。カバーパネル２は、例えば、透明のガラスあるいは透明のアクリル樹脂で形成されている。ケース部分３は、電子機器１の前面部分の周縁部分、側面部分及び裏面部分を構成している。ケース部分３は、例えばポリカーボネート樹脂で形成されている。
【００２３】
カバーパネル２の前面には、文字、記号、図形等の各種情報が表示される表示領域２ａが設けられている。表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル１３０が貼り付けられており、ユーザは、電子機器１の前面の表示領域２ａを指等で操作することによって、電子機器１に対して各種指示を与えることができる。なお、ユーザは、指以外の操作子、例えば、スタイラスペンなどの静電式タッチパネル用ペンで表示領域２ａを操作することによっても、電子機器１に対して各種指示を与えることができる。
【００２４】
機器ケース４内には、ホームキー５ａ、メニューキー５ｂ及びバックキー５ｃが設けられている。ホームキー５ａ、メニューキー５ｂ及びバックキー５ｃのそれぞれは、ハードウェアキーであって、その表面が、カバーパネル２の前面の下側端部から露出している。ホームキー５ａは、表示領域２ａに、ホーム画面（初期画面）を表示するための操作キーである。メニューキー５ｂは、オプションメニュー画面を表示するための操作キーである。バックキー５ｃは、表示領域２ａの表示を一つ前の表示に戻すための操作キーである。以後、ホームキー５ａ、メニューキー５ｂ及びバックキー５ｃを特に区別する必要が無い場合には、それぞれを「操作キー５」と呼ぶ。なお、ホームキー５ａ、メニューキー５ｂ及びバックキー５ｃのそれぞれは、ハードウェアキーではなく、表示領域２ａに表示されて、タッチパネル１３０でそれに対する操作が検出されるソフトウェアキーであってもよい。
【００２５】
カバーパネル２の下側端部にはマイク穴６があけられており、カバーパネル２の上側端部にはレシーバ穴７があけられている。カバーパネル２の前面の上側端部からは、後述する前面側撮像部１８０が有する撮像レンズ１８０ａと、後述する発光部１９０とが視認可能となっている。また、図２に示されるように、電子機器１の裏面、言い換えれば機器ケース４の裏面には、スピーカ穴８があけられている。そして、電子機器１の裏面からは、後述する裏面側撮像部２００が有する撮像レンズ２００ａが視認可能となっている。
【００２６】
＜電子機器の電気的構成＞
図３は電子機器１の電気的構成を示すブロック図である。図３に示されるように、電子機器１には、制御部１００、無線通信部１１０、表示パネル１２０、タッチパネル１３０及びキー操作検出部１４０が設けられている。さらに電子機器１には、マイク１５０、レシーバ１６０、外部スピーカ１７０、前面側撮像部１８０、発光部１９０、裏面側撮像部２００及び電池２１０が設けられている。電子機器１に設けられたこれらの構成要素は、機器ケース４内に収められている。
【００２７】
制御部１００は、ＣＰＵ（Central Processing Unit）１０１、ＤＳＰ（Digital Signal Processor）１０２及び記憶部１０３等を備えており、電子機器１の他の構成要素を制御することによって、電子機器１の動作を統括的に管理する。記憶部１０３は、ＲＯＭ（Read Only Memory）及びＲＡＭ（Random Access Memory）等で構成されている。記憶部１０３には、電子機器１の動作、具体的には電子機器１が備える無線通信部１１０、表示パネル１２０等の各構成要素を制御するための制御プログラムであるメインプログラム１０３ａ及び複数のアプリケーションプログラム１０３ｂ等が記憶されている。制御部１００の各種機能は、ＣＰＵ１０１及びＤＳＰ１０２が記憶部１０３内の各種プログラムを実行することによって実現される。なお図３では、図面の煩雑さを避けるために、アプリケーションプログラム１０３ｂは一つだけ示されている。
【００２８】
無線通信部１１０は、アンテナ１１１を有している。無線通信部１１０は、電子機器１とは別の携帯電話機あるいはインターネットに接続されたウェブサーバ等の通信装置からの信号を基地局等を介してアンテナ１１１で受信する。無線通信部１１０は、受信信号に対して増幅処理及びダウンコンバートを行って制御部１００に出力する。制御部１００は、入力される受信信号に対して復調処理等を行って、当該受信信号に含まれる、音声や音楽などを示す音信号などを取得する。また無線通信部１１０は、制御部１００で生成された、音信号等を含む送信信号に対してアップコンバート及び増幅処理を行って、処理後の送信信号をアンテナ１１１から無線送信する。アンテナ１１１からの送信信号は、基地局等を通じて、電子機器１とは別の携帯電話機あるいはインターネットに接続された通信装置で受信される。
【００２９】
表示パネル１２０は、例えば、液晶表示パネルあるいは有機ＥＬパネルである。表示パネル１２０は、制御部１００によって制御されることによって、文字、記号、図形などの各種情報を表示する。表示パネル１２０に表示される情報は、カバーパネル２の前面の表示領域２ａに表示される。したがって、表示パネル１２０は、表示領域２ａに表示を行っていると言える。
【００３０】
タッチパネル１３０は、カバーパネル２の表示領域２ａに対する指等の操作子による操作を検出する。タッチパネル１３０は、例えば、投影型静電容量方式のタッチパネルであって、カバーパネル２の裏面に貼り付けられている。ユーザが指等の操作子によってカバーパネル２の表示領域２ａに対して操作を行うと、それに応じた信号がタッチパネル１３０から制御部１００に入力される。制御部１００は、タッチパネル１３０からの信号に基づいて、表示領域２ａに対して行われた操作の内容を特定して、その内容に応じた処理を行う。
【００３１】
キー操作検出部１４０は、各操作キー５に対するユーザの押下操作を検出する。キー操作検出部１４０は、各操作キー５について、当該操作キー５が押下（操作）されているか否かを検出する。キー操作検出部１４０は、操作キー５が押下されていない場合には、当該操作キー５が操作されていないことを示す未操作信号を制御部１００に出力する。また、キー操作検出部１４０は、操作キー５が押下されると、当該操作キー５が操作されたことを示す操作信号を制御部１００に出力する。これにより、制御部１００は、各操作キー５について、当該操作キー５が操作されているか否かを判断することができる。
【００３２】
制御部１００は、ホームキー５ａが押下されて、その後押下されなくなったことがキー操作検出部１４０で検出されると、表示パネル１２０にホーム画面（初期画面）を表示させる。これにより、表示領域２ａにはホーム画面が表示される。また、制御部１００は、メニューキー５ｂが押下されて、その後押下されなくなったことがキー操作検出部１４０で検出されると、表示パネル１２０にオプションメニュー画面を表示させる。これにより、表示領域２ａにはオプションメニュー画面が表示される。そして、制御部１００は、バックキー５ｃが押下されて、その後押下されなくなったことがキー操作検出部１４０で検出されると、表示パネル１２０に、その表示を一つ前に戻させる。これにより、表示領域２ａの表示が一つ前に戻る。
【００３３】
マイク１５０は、電子機器１の外部から入力される音を電気的な音信号に変換して制御部１００に出力する。電子機器１の外部からの音は、カバーパネル２の前面に設けられたマイク穴６から電子機器１の内部に取り込まれてマイク１５０に入力される。
【００３４】
外部スピーカ１７０は、例えばダイナミックスピーカであって、制御部１００からの電気的な音信号を音に変換して出力する。外部スピーカ１７０から出力される音は、電子機器１の裏面に設けられたスピーカ穴８から外部に出力される。スピーカ穴８から出力される音は、電子機器１から離れた場所でも聞こえるようになっている。
【００３５】
前面側撮像部１８０は、撮像レンズ１８０ａ及び撮像素子などで構成されており、制御部１００による制御に基づいて、静止画像及び動画像を撮像する。前面側撮像部１８０は、赤外線撮像部であって、白黒画像を撮像する。図１に示されるように、撮像レンズ１８０ａは電子機器１の前面に設けられていることから、前面側撮像部１８０は、電子機器１の前面側（カバーパネル２側）に存在する物体を撮像することが可能である。
【００３６】
発光部１９０は、例えば赤外線ＬＥＤ（Light Emitting Diode）等で構成されており、赤外線を発光する。図１に示されるように、発光部１９０は、電子機器１の前面から露出していることから、電子機器１の前面側（カバーパネル２側）に向かって赤外線を発光する。
【００３７】
裏面側撮像部２００は、撮像レンズ２００ａ及び撮像素子などで構成されており、制御部１００による制御に基づいて、静止画像及び動画像を撮像する。裏面側撮像部２００は、可視光撮像部であって、カラー画像を撮像する。図２に示されるように、撮像レンズ２００ａは電子機器１の裏面に設けられていることから、裏面側撮像部２００は、電子機器１の裏面側に存在する物体を撮像することが可能である。
【００３８】
レシーバ１６０は、受話音を出力するものであって、例えばダイナミックスピーカで構成されている。レシーバ１６０は、制御部１００からの電気的な音信号を音に変換して出力する。レシーバ１６０から出力される音は、電子機器１の前面に設けられたレシーバ穴７から外部に出力される。レシーバ穴７から出力される音の音量は、スピーカ穴８から出力される音の音量よりも小さくなっている。
【００３９】
電池２１０は、電子機器１の電源を出力する。電池２１０から出力された電源は、電子機器１が備える制御部１００及び無線通信部１１０などに含まれる各電子部品に対して供給される。
【００４０】
記憶部１０３には、様々なアプリケーションプログラム１０３ｂ（以後、単に「アプリケーション１０３ｂ」と呼ぶ）が記憶されている。記憶部１０３には、例えば、電話機能を用いて通話を行うための電話アプリケーション、ウェブサイトを表示するためのブラウザ、電子メールの作成・閲覧・送受信を行うためのメールアプリケーションが記憶されている。また、記憶部１０３には、テレビ番組を視聴及び録画するためのテレビアプリケーション、記憶部１０３に記憶されている動画像データの再生制御を行うための動画再生制御アプリケーション、記憶部１０３に記憶されている音楽データの再生制御を行うための音楽再生制御アプリケーションなどが記憶されている。
【００４１】
記憶部１０３内のメインプログラム１０３ａを実行している制御部１００が、記憶部１０３内のアプリケーション１０３ｂを読み出して実行すると、制御部１００は、無線通信部１１０、表示パネル１２０及びレシーバ１６０等の、電子機器１内の他の構成要素を制御し、それによって、当該アプリケーション１０３ｂに対応する機能（処理）が電子機器１で実行される。例えば、電話アプリケーションを実行している制御部１００は、無線通信部１１０、マイク１５０及びレシーバ１６０を制御する。これにより、電子機器１では、無線通信部１１０で受信された受信信号に含まれる音声がレシーバ１６０から出力されるとともに、マイク１５０に入力された音声を含む送信信号が無線通信部１１０から送信され、通信相手装置との間で電話機能を用いた通話が行われる。
【００４２】
＜制御部の機能ブロックについて＞
制御部１００では、メインプログラム１０３ａが実行されることによって、複数の機能ブロックが形成される。図４は、制御部１００に形成される複数の機能ブロックの一部を示す図である。
【００４３】
図４に示されるように、制御部１００は、機能ブロックとして、距離特定部３００と、撮像制御部３０１と、視線方向特定部３０２と、発光制御部３０３と、表示制御部３０４とを備えている。
【００４４】
撮像制御部３０１は、前面側撮像部１８０を制御して、前面側撮像部１８０に画像を撮像させる。また撮像制御部３０１は、裏面側撮像部２００も制御して、裏面側撮像部２００に画像を撮像させる。発光制御部３０３は、発光部１９０を制御して、発光部１９０に赤外線を発光させる。表示制御部３０４は、表示パネル１２０を制御して、表示パネル１２０の表示、つまり表示領域２ａの表示を制御する。
【００４５】
本実施の形態では、距離特定部３００、撮像制御部３０１及び前面側撮像部１８０によって、電子機器１とユーザの目との間の距離を取得する距離取得部３１０が構成されている。距離取得部３１０では、距離特定部３００が、撮像制御部３０１によって制御されることによって前面側撮像部１８０が撮像した画像に基づいて、電子機器１とユーザの目との間の距離、具体的には表示領域２ａとユーザの目との間の距離を特定する。距離特定部３００は、例えば、上述の特許文献８に記載の技術と同様にして、前面側撮像部１８０での撮像画像に基づいて、表示領域２ａとユーザの目との間の距離を特定することができる。具体的には、距離特定部３００は、前面側撮像部１８０での撮像画像から、ユーザの顔画像を特定する。そして、距離特定部３００は、特定したユーザの顔画像の大きさを求めて、当該大きさから、ユーザの顔と電子機器１との間の距離を求める。距離特定部３００は、求めた距離を、電子機器１の前面に設けられた表示領域２ａとユーザの目との間の距離として使用する。なお、電子機器１は、他の方法で、表示領域２ａとユーザの目との間の距離を求めても良い。
【００４６】
また本実施の形態では、視線方向特定部３０２、撮像制御部３０１、発光制御部３０３、前面側撮像部１８０及び発光部１９０によって、ユーザの表示領域２ａへの視線を検出する視線検出部３２０が構成されている。以後、視線検出部３２０が行う、ユーザの表示領域２ａへの視線を検出する処理を単に「視線検出処理」と呼ぶ。
【００４７】
視線検出部３２０は、例えば、上述の特許文献５に記載の技術と同様にして、視線検出処理を行う。具体的には、視線検出部３２０が視線検出処理を行う際には、まず発光部１９０が発光制御部３０３による制御によって赤外線を発光する。そして、発光部１９０が赤外線を発光している状態において、前面側撮像部１８０が、撮像制御部３０１による制御によって画像を撮像する。このとき、ユーザが表示領域２ａの表示を見ている際には、前面側撮像部１８０では、発光部１９０が発光する赤外線が照射されたユーザの顔の画像が撮像される。視線方向特定部３０２は、前面側撮像部１８０での撮像画像に基づいてユーザの視線方向を特定する。具体的には、視線方向特定部３０２は、前面側撮像部１８０での撮像画像から、ユーザの目の瞳孔と、ユーザの目の角膜の表面（眼球表面）での赤外線の反射像であるプルキニエ像とを特定する。このとき、ユーザが表示領域２ａの表示を見ておらず、視線方向特定部３０２が、前面側撮像部１８０での撮像画像から瞳孔及びプルキニエ像が特定できない場合には、視線検出部３２０では、ユーザの表示領域２ａへの視線が検出されないことになる。
【００４８】
視線方向特定部３０２は、瞳孔及びプルキニエ像を特定すると、当該瞳孔の中心位置と、当該プルキニエ像の中心位置とに基づいて、ユーザの視線方法を特定する。そして、視線方向特定部３０２は、特定した視線方向に基づいて、ユーザの視線が表示領域２ａにあるかを判定する。視線方向特定部３０２においてユーザの視線が表示領域２ａにあると判定されると、視線検出部３２０ではユーザの表示領域２ａへの視線が検出される。一方で、視線方向特定部３０２においてユーザの視線が表示領域２ａにはないと判定されると、視線検出部３２０ではユーザの表示領域２ａへの視線が検出されない。
【００４９】
このようにして、視線検出部３２０は、ユーザが表示領域２ａの表示を見ている際の当該ユーザの表示領域２ａへの視線を検出する。
【００５０】
なお、視線検出部３２０は、表示領域２ａの表示がオフとなって、表示領域２ａに情報が表示されていないときには、視線検出処理は行わない。また、電子機器１は、他の方法で、ユーザの表示領域２ａへの視線を検出しても良い。
【００５１】
＜表示サイズ拡大処理について＞
例えば、中高年者にとっては、表示領域２ａを見た直後は、表示領域２ａに表示される文字等の情報が見えにくいことがある。このような場合には、中高年者は、表示領域２ａを見た後に、自身の頭を移動させることによって自身の目を表示領域２ａから離したり、電子機器１を移動させることによって表示領域２ａを自身の目から離したりして、表示領域２ａと自身の目との間の距離を大きくすることがある。
【００５２】
一方で、近視者等は、表示領域２ａでの文字等の情報の表示サイズが小さくて当該情報が見えにくいときには、自身の頭を移動させることによって自身の目を表示領域２ａに近づけたり、電子機器１を移動させることによって表示領域２ａを自身の目に近づけたりして、表示領域２ａと自身の目との間の距離を小さくすることがある。
【００５３】
このように、ユーザは表示領域２ａに表示されている情報が見えにくいとき、表示領域２ａと自身の目との間の距離を変化させることがある。
【００５４】
そこで、本実施の形態に係る電子機器１は、ユーザの表示領域２ａへの視線を検出している場合に、表示領域２ａとユーザの目との間の距離が変化すると、表示領域２ａでの情報の表示サイズを大きくするようにしている。これにより、中高年者や近視者等にとっても、表示領域２ａの表示が見やすくなる。よって、電子機器１の表示に対する視認性が向上する。以下に、この点について詳細に説明する。
【００５５】
図５は電子機器１の動作を示すフローチャートである。本実施の形態では、表示領域２ａの表示がオンとなっている場合には、視線検出部３２０は、定期的に、例えば数百ｍｓごとに上述の視線検出処理を行う。
【００５６】
図５に示されるように、いままで表示領域２ａの表示を見ていなかったユーザが表示領域２ａの表示を見るようになり、ステップｓ１において視線検出部３２０がユーザの表示領域２ａへの視線を検出するようになると、ステップｓ２において、電子機器１は表示変更処理を開始する。
【００５７】
表示変更処理が開始すると、ステップｓ３において、距離取得部３１０は、上述のようにして、表示領域２ａとユーザの目との間の距離としての第１距離を取得する。これにより、ユーザが表示領域２ａの表示を見るようになった直後における、表示領域２ａとユーザの目との間の距離が第１距離として取得される。
【００５８】
その後、距離取得部３１０は、一定時間（例えば２秒）経過すると（ステップｓ４）、ステップｓ５において、表示領域２ａとユーザの目との間の距離としての第２距離を取得する。これにより、ユーザが表示領域２ａの表示を見るようになってからしばらく経過した後における、表示領域２ａとユーザの目との間の距離が第２距離として取得される。
【００５９】
次にステップｓ６において、距離取得部３１０の距離特定部３００は、第２距離が第１距離から変化したかを判定する。具体的には、距離特定部３００は、第２距離が第１距離から所定値（例えば１０ｃｍ）以上変化したかを判定する。距離特定部３００は、第１距離と第２距離との差の絶対値を求めて、当該絶対値が所定値（例えば１０ｃｍ）以上であれば、第２距離が第１距離から所定値以上変化したと判断する。一方で、距離特定部３００は、第１距離と第２距離との差の絶対値が所定値未満であれば、第２距離が第１距離から所定値以上変化していないと判断する。
【００６０】
ステップｓ６において、第２距離が第１距離から所定値以上変化したと判定されると、ステップｓ７において、表示パネル１２０は、表示制御部３０４による制御によって、表示領域２ａでの文字やアイコン等の情報の表示サイズを大きくする。例えば、表示パネル１２０は、表示領域２ａでの文字等の情報の表示サイズを２倍にする。ステップｓ７が実行されると、ステップｓ８において電子機器１は表示変更処理を終了する。一方で、ステップｓ６において第２距離が第１距離から所定値以上変化していないと判定されると、表示領域２ａでの情報の表示サイズは変更されずにステップｓ８が実行されて、表示変更処理が終了する。
【００６１】
なお、このような表示変更処理は、視線検出部３２０においてユーザの表示領域２ａへの視線が検出されている間だけ行われる。したがって、表示変更処理が開始した後（ステップｓ２の後）であって、表示変更処理が終了する前（ステップｓ８の前）に、定期的に視線検出処理を行う視線検出部３２０がユーザの表示領域２ａへの視線を検出しなくなると、表示変更処理が強制的に終了される。このとき、表示領域２ａでの情報の表示サイズが大きくなっている場合には、表示パネル１２０は、表示領域２ａでの情報の表示サイズを元に戻す。その後、視線検出部３２０がユーザの表示領域２ａへの視線を再び検出するようになると（ステップｓ１）、ステップｓ２が実行されて、電子機器１は以後同様に動作する。
【００６２】
また、ステップｓ８の後に、視線検出部３２０がユーザの表示領域２ａへの視線を検出しなくなると、表示パネル１２０は、表示領域２ａでの情報の表示サイズを元に戻す。その後、視線検出部３２０がユーザの表示領域２ａへの視線を再び検出するようになると（ステップｓ１）、ステップｓ２が実行されて、電子機器１は以後同様に動作する。
【００６３】
このように、本実施の形態では、表示パネル１２０は、表示領域２ａでの情報の表示サイズを大きくした後に、視線検出部３２０においてユーザの表示領域２ａへの視線が検出されなくなると、当該表示サイズを元に戻すようにしている。
【００６４】
以上のように、本実施の形態に係る電子機器１では、表示パネル１２０は、視線検出部３２０においてユーザの表示領域２ａへの視線が検出されている場合に、距離取得部３１０で取得される、電子機器１とユーザの目との間の距離が変化すると、表示領域２ａでの情報の表示サイズを大きくしている。したがって、中高年者が表示領域２ａの表示を見た後に表示領域２ａと自身の目との間の距離を大きくした際に、表示領域２ａでの情報の表示サイズを大きくすることができる。よって、中高年者にとっても、表示領域２ａの表示が見やすくなる。また、近視者等が、表示領域２ａと自身の目との間の距離を小さくしたときには、表示領域２ａでの情報の表示サイズを大きくすることができる。したがって、近視者等にとっても、表示領域２ａの表示が見やすくなる。よって、電子機器１の表示に対する視認性が向上する。
【００６５】
＜各種変形例＞
以下に本実施の形態に係る電子機器１の各種変形例について説明する。
【００６６】
＜第１変形例＞
上記の例では、表示変更処理では、視線検出部３２０においてユーザの表示領域２ａへの視線が検出されるようになった直後と、その一定時間後の２回だけ、電子機器１とユーザの目との間の距離が取得されたが、表示変更処理において、距離取得部３１０は、電子機器１とユーザの目との間の距離の取得を繰り返して行っても良い。つまり、距離取得部３１０は、視線検出部３２０においてユーザの表示領域２ａへの視線が検出されている場合には、表示領域２ａとユーザの目との間の距離の取得を繰り返して行っても良い。例えば、距離取得部３１０は、視線検出部３２０においてユーザの表示領域２ａへの視線が検出されている場合には、表示領域２ａとユーザの目との間の距離の取得を１秒ごとに繰り返して行っても良い。このような場合には、距離取得部３１０は、表示領域２ａとユーザの目との間の距離を取得すると、取得した距離がその直前に取得した表示領域２ａとユーザの目との間の距離から変化したかを判定する。具体的には、距離取得部３１０は、取得した距離が、その直前に取得した距離から所定値（例えば１０ｃｍ）以上変化したかを判定する。そして、距離取得部３１０が、取得した距離が、その直前に取得した距離から所定値以上変化したと判断すると、表示パネル１２０は、表示領域２ａでの情報の表示サイズを大きくする。その後、表示変更処理は終了する。
【００６７】
一方で、距離取得部３１０が、取得した距離が、その直前に取得した距離から所定値以上変化していないと判断すると、表示パネル１２０は、表示領域２ａでの情報の表示サイズを大きくせずに、現状の表示サイズを維持する。この場合には、表示変更処理は終了せずに、距離取得部３１０は、次に取得した距離が、その直前に取得した距離から所定値以上変化したかを判定する。その後、電子機器１は、視線検出部３２０においてユーザの表示領域２ａへの視線が検出されている間、同様に動作する。
【００６８】
このように、本変形例では、距離取得部３１０が、視線検出部３２０においてユーザの表示領域２ａへの視線が検出されている場合には、電子機器１とユーザの目との間の距離の取得を繰り返して行っている。そして、表示パネル１２０が、距離取得部３１０で取得された距離が、その直前に距離取得部３１０で取得された距離から変化すると、表示領域２ａでの情報の表示サイズを大きくしている。したがって、ユーザが、表示領域２ａの表示を見た直後に表示領域２ａと目との間の距離を変える場合だけではなく、ユーザが、表示領域２ａの表示を見るようになってある程度時間が経過した後に、表示領域２ａと目との間の距離を変える場合であっても、表示領域２ａでの情報の表示サイズを大きくすることができる。よって、電子機器１の表示に対する視認性がさらに向上する。
【００６９】
なお、視線検出部３２０においてユーザの表示領域２ａへの視線が検出されている限り、表示領域２ａでの情報の表示サイズが大きくなったとしても、表示変更処理は終了しなくても良い。この場合には、視線検出部３２０においてユーザの表示領域２ａへの視線が検出されている間は、表示領域２ａでの情報の表示サイズが大きくなったとしても、距離取得部３１０は、新たに取得した距離が、その直前に取得した距離から所定値以上変化したかを判定する。そして、表示パネル１２０は、距離取得部３１０が、新たに取得した距離が、その直前に取得した距離から所定値以上変化したと判定すると、表示領域２ａでの情報の表示サイズをさらに大きくする。これにより、視線検出部３２０においてユーザの表示領域２ａへの視線が検出されている間では、表示領域２ａとユーザの目との間の距離が変化するたびに、表示領域２ａでの情報の表示サイズが大きくなる。
【００７０】
＜第２変形例＞
上記の例では、視線検出部３２０においてユーザの表示領域２ａへの視線が検出されるようになったときに表示変更処理が実行されたが、それに加えてあるいはそれに代わって、視線検出部３２０においてユーザの表示領域２ａへの視線が検出されている場合に表示領域２ａでの表示画面が変化したときに表示変更処理が実行されてもよい。以下に、本変形例に係る電子機器１の動作について説明する。
【００７１】
本変形例に係る電子機器１では、視線検出部３２０においてユーザの表示領域２ａへの視線が検出されている場合に、表示領域２ａが表示する表示画面が変化すると、ステップｓ２が実行されて、表示変更処理が開始される。そして、ステップｓ３が実行されて、表示領域２ａとユーザの目との間の距離としての第１距離が取得される。これにより、ユーザが表示領域２ａの表示を見ている場合に、表示領域２ａが表示する表示画面が他の表示画面に切り替わった直後における、表示領域２ａとユーザの目との間の距離が第１距離として取得される。
【００７２】
その後、一定時間（例えば２秒）経過すると（ステップｓ４）、ステップｓ５が実行されて、表示領域２ａとユーザの目との間の距離としての第２距離が取得される。これにより、ユーザが表示領域２ａの表示を見ている場合に、表示領域２ａが表示する表示画面が他の表示画面に切り替わってからしばらく経過した後における、表示領域２ａとユーザの目との間の距離が第２距離として取得される。
【００７３】
次に、ステップｓ６が実行されて、距離取得部３１０は、第２距離が第１距離から変化したかを判定する。ステップｓ６において、第２距離が第１距離から変化したと判定されると、上述のステップｓ７が実行されて、表示パネル１２０は、表示領域２ａでの情報の表示サイズを大きくする。その後、ステップｓ８が実行されて、電子機器１は表示変更処理を終了する。一方で、ステップｓ６において第２距離が第１距離から変化していないと判定されると、表示領域２ａでの情報の表示サイズは変更されずにステップｓ８が実行されて、表示変更処理が終了する。なお、表示変更処理が実行されている間に、視線検出部３２０においてユーザの表示領域２ａへの視線が検出されなくなると、上記の例と同様に、表示変更処理は強制的に終了する。
【００７４】
このように、本変形例に係る電子機器１では、距離取得部３１０は、視線検出部３２０においてユーザの表示領域２ａへの視線が検出されている場合に、表示領域２ａでの表示画面が変化すると、電子機器１とユーザの目との間の距離としての第１距離を取得し、その後、一定時間経過後に当該距離としての第２距離を取得している。そして、表示パネル１２０は、距離取得部３１０が取得した第２距離が、距離取得部３１０が取得した第１距離から変化している場合には、表示領域２ａでの情報の表示サイズを大きくしている。したがって、表示領域２ａでの表示画面が変化することによって、表示領域２ａの表示が見えにくくなり、ユーザが自身の目と表示領域２ａとの間の距離を変化させたときには、表示領域２ａでの情報の表示サイズを大きくすることができる。
【００７５】
具体例としては、制御部１００においてブラウザが実行されている場合に、表示領域２ａに表示されているウェブページが、小さい文字等を含むウェブページに切り替えられると、ユーザは自身の目と表示領域２ａとの間の距離を小さくすることがある。このような場合に、本変形例に係る電子機器１では、表示領域２ａに表示されているウェブページに含まれる文字等の情報の表示サイズを大きくすることができる。したがって、ユーザは、新たに表示されるウェブページを見やすくなる。
【００７６】
また、制御部１００がメールアプリケーションの実行を開始し、表示領域２ａの表示画面が、例えば受信メールの閲覧画面に切り替わった際に、当該閲覧画面に含まれる文字及び図形等が小さいときには、ユーザは自身の目と表示領域２ａとの間の距離を小さくすることがある。このような場合に、本変形例に係る電子機器１では、表示領域２ａに表示されている閲覧画面に含まれる文字及び図形等の表示サイズを大きくすることができる。したがって、ユーザは、閲覧画面に含まれる受信メールを見やすくなる。
【００７７】
なお、視線検出部３２０においてユーザの表示領域２ａへの視線が検出されている間は、表示領域２ａでの表示画面が変化するたびに表示変更処理が実行されても良い。
【００７８】
＜第３変形例＞
中高年者は高齢視により物が黄色みがかって見えることがある。このような場合に、対象物の明度と背景の明度との差が大きい場合には、対象物が見えやすくなる。
【００７９】
そこで、本変形例に係る電子機器１では、表示変更処理において、距離取得部３１０が表示領域２ａとユーザの目との間の距離が大きくなったと判断すると、表示パネル１２０は、表示領域２ａでの情報の表示サイズを大きくするとともに、当該情報の表示明度と背景の表示明度との差を大きくする。
【００８０】
例えば、表示領域２ａの表示において、文字等の情報の表示明度が背景の表示明度よりも高い場合には、表示パネル１２０は、情報の表示色を変化させて情報の表示明度を高くすることによって、あるいは背景の表示色を変化させて背景の表示明度を低くすることによって、情報の表示明度と背景の表示明度との差を大きくする。
【００８１】
一方で、表示領域２ａの表示において、文字等の情報の表示明度が背景の表示明度よりも低い場合には、表示パネル１２０は、情報の表示色を変化させて情報の表示明度を低くすることによって、あるいは背景の表示色を変化させて背景の表示明度を高くすることによって、情報の表示明度と背景の表示明度との差を大きくする。
【００８２】
このように、距離取得部３１０が電子機器１とユーザの目との間の距離が大きくなったと判断すると、表示パネル１２０が、表示領域２ａでの情報の表示サイズを大きくするとともに、当該情報の表示明度と背景の表示明度との差を大きくすることによって、中高年者が、表示領域２ａの表示を見た後に、自身の目と表示領域２ａとの間の距離を少し大きくしたときに、表示領域２ａでの情報の表示サイズが大きくなるとともに、当該情報の表示明度と背景の表示明度との差が大きくなる。よって、中高年者にとっては、表示領域２ａの表示がさらに見えやすくなる。よって、電子機器１の表示に対する視認性がさらに向上する。
【００８３】
＜第４変形例＞
ユーザが、電子機器１を自身の目に近づけたり自身の目から離すことによって、表示領域２ａと自身の目との間の距離を変化させる場合には、電子機器１の加速度が変化する。
【００８４】
そこで、本変形例では、視線検出部３２０においてユーザの表示領域２ａへの視線が検出されている場合に、電子機器１の加速度が変化すると、表示パネル１２０が、表示領域２ａでの情報の表示サイズを大きくする。これにより、ユーザが、電子機器１を移動させることによって表示領域２ａと自身の目との間の距離を変化させた際に、表示領域２ａでの情報の表示サイズが大きくなる。
【００８５】
図６は本変形例に係る電子機器１の構成の一部を示す図である。図６に示されるように、本変形例に係る電子機器１は、上述の図３，４に示される電子機器１において、距離取得部３１０の替わりに、電子機器１の加速度を取得する加速度取得部３３０が設けられたものである。
【００８６】
加速度取得部３３０は、加速度センサ２２０と、当該加速度センサ２２０を制御するセンサ制御部３０５とで構成されている。センサ制御部３０５は、制御部１００に形成される機能ブロックである。加速度センサ２２０は、例えば、機器ケース４の厚み方向における電子機器１の加速度を検出する。言い換えれば、加速度センサ２２０は、電子機器１の前面に設けられた表示領域２ａに対して垂直な方向における電子機器１の加速度を検出する。加速度センサ２２０は、センサ制御部３０５による制御によって、電子機器１の加速度を検出し、検出した加速度を示す検出信号をセンサ制御部３０５に出力する。これにより、加速度取得部３３０では電子機器１の加速度が取得される。
【００８７】
図７は本変形例に係る電子機器１の動作を示すフローチャートである。本変形例においても、表示領域２ａの表示がオンとなっている場合には、視線検出部３２０は、定期的に、例えば数百ｍｓごとに視線検出処理を行う。
【００８８】
図７に示されるように、いままで表示領域２ａの表示を見ていなかったユーザが表示領域２ａの表示を見るようになり、ステップｓ１１において視線検出部３２０がユーザの表示領域２ａへの視線を検出するようになると、ステップｓ１２において、本変形例に係る電子機器１は表示変更処理を開始する。
【００８９】
表示変更処理が開始すると、ステップｓ１３において、加速度取得部３３０は電子機器１の加速度としての第１加速度を取得する。これにより、ユーザが表示領域２ａの表示を見るようになった直後における電子機器１の加速度が第１加速度として取得される。
【００９０】
その後、加速度取得部３３０は、一定時間（例えば２秒）経過すると（ステップｓ１４）、ステップｓ１５において、電子機器１の加速度としての第２加速度を取得する。これにより、ユーザが表示領域２ａの表示を見るようになってからしばらく経過した後における電子機器１の加速度が第２加速度として取得される。
【００９１】
次にステップｓ１６において、加速度取得部３３０のセンサ制御部３０５は、第２加速度が第１加速度から変化したかを判定する。具体的には、センサ制御部３０５は、第２加速度が第１加速度から所定値以上変化したかを判定する。センサ制御部３０５は、第１加速度と第２加速度との差の絶対値を求めて、当該絶対値が所定値以上であれば、第２加速度が第１加速度から所定値以上変化したと判断する。一方で、センサ制御部３０５は、第１加速度と第２加速度との差の絶対値が所定値未満であれば、第２加速度が第１加速度から所定値以上変化していないと判断する。
【００９２】
ステップｓ１６において、第２加速度が第１加速度から所定値以上変化したと判定されると、ステップｓ１７において、表示パネル１２０は、表示制御部３０４による制御によって、表示領域２ａでの文字やアイコン等の情報の表示サイズを大きくする。ステップｓ１７が実行されると、ステップｓ１８において電子機器１は表示変更処理を終了する。一方で、ステップｓ１６において第２加速度が第１加速度から所定値以上変化していないと判定されると、表示領域２ａでの情報の表示サイズは変更されずにステップｓ１８が実行されて、表示変更処理が終了する。
【００９３】
なお本変形例においても、このような表示変更処理は、視線検出部３２０においてユーザの表示領域２ａへの視線が検出されている間だけ行われる。したがって、表示変更処理が開始した後（ステップｓ１２の後）であって、表示変更処理が終了する前（ステップｓ１８の前）に、視線検出部３２０がユーザの表示領域２ａへの視線を検出しなくなると、表示変更処理が強制的に終了される。このとき、表示領域２ａでの情報の表示サイズが大きくなっている場合には、表示パネル１２０は、表示領域２ａでの情報の表示サイズを元に戻す。その後、視線検出部３２０がユーザの表示領域２ａへの視線を再び検出するようになると（ステップｓ１１）、ステップｓ１２が実行されて、電子機器１は以後同様に動作する。
【００９４】
また、ステップｓ１８の後に、視線検出部３２０がユーザの表示領域２ａへの視線を検出しなくなると、表示パネル１２０は、表示領域２ａでの情報の表示サイズを元に戻す。その後、視線検出部３２０がユーザの表示領域２ａへの視線を再び検出するようになると（ステップｓ１１）、ステップｓ１２が実行されて、電子機器１は以後同様に動作する。
【００９５】
以上のように、本変形例に係る電子機器１では、表示パネル１２０は、視線検出部３２０においてユーザの表示領域２ａへの視線が検出されている場合に、加速度取得部３３０で取得される電子機器１の加速度が変化すると、表示領域２ａでの情報の表示サイズを大きくしている。したがって、中高年者が電子機器１を移動させることによって電子機器１を自身の目から離すことによって、表示領域２ａと自身の目との間の距離を大きくした際に、表示領域２ａでの情報の表示サイズを大きくすることができる。よって、中高年者にとっても、表示領域２ａの表示が見やすくなる。また、近視者等が、電子機器１を移動させて電子機器１を自身の目に近づけて、表示領域２ａと自身の目との間の距離を小さくした際に、表示領域２ａでの情報の表示サイズを大きくすることができる。したがって、近視者等にとっても、表示領域２ａの表示が見やすくなる。よって、電子機器１の表示に対する視認性が向上する。
【００９６】
なお、本変形例のように電子機器１の加速度が取得される場合であっても、上述の第１変形例と同様に、加速度取得部３３０は、視線検出部３２０においてユーザの表示領域２ａへの視線が検出されている場合に、電子機器１の加速度の取得を繰り返して行ってもよい。この場合には、加速度取得部３３０は、電子機器１の加速度を取得すると、取得した加速度が、その直前に取得した電子機器１の加速度から変化したかを判定する。具体的には、加速度取得部３３０は、取得した加速度が、その直前に取得した加速度から所定値以上変化したかを判定する。そして、加速度取得部３３０が、取得した加速度が、その直前に取得した加速度から所定値以上変化したと判断すると、表示パネル１２０は、表示領域２ａでの情報の表示サイズを大きくする。その後、表示変更処理は終了する。
【００９７】
一方で、加速度取得部３３０が、取得した加速度が、その直前に取得した加速度から所定値以上変化していないと判断すると、表示パネル１２０は、表示領域２ａでの情報の表示サイズを大きくせずに、現状を維持する。この場合には、表示変更処理は終了せずに、加速度取得部３３０は、次に取得した加速度が、その直前に取得した加速度から所定値以上変化したかを判定する。その後、電子機器１は、視線検出部３２０においてユーザの表示領域２ａへの視線が検出されている間、同様に動作する。なお、視線検出部３２０においてユーザの表示領域２ａへの視線が検出されている間は、表示パネル１２０が表示領域２ａでの情報の表示サイズを大きくしたとしても表示変更処理が終了せずに、加速度取得部３３０は、次に取得した加速度が、その直前に取得した加速度から所定値以上変化したかを判定してもよい。これにより、視線検出部３２０においてユーザの表示領域２ａへの視線が検出されている間では、電子機器１の加速度が変化するたびに、表示領域２ａでの情報の表示サイズが大きくなる。
【００９８】
また、本変形例のように電子機器１の加速度が取得される場合であっても、上述の第２変形例と同様に、視線検出部３２０においてユーザの表示領域２ａへの視線が検出されている場合に表示領域２ａでの表示画面が変化したときに表示変更処理が実行されてもよい。これにより、表示領域２ａでの表示画面が変化することによって、表示領域２ａの表示が見えにくくなり、ユーザが電子機器１を移動させて自身の目と表示領域２ａとの間の距離を変化させたときには、表示領域２ａでの情報の表示サイズを大きくすることができる。なお、視線検出部３２０においてユーザの表示領域２ａへの視線が検出されている間では、表示領域２ａでの表示画面が変化するたびに表示変更処理が実行されてもよい。
【００９９】
＜その他の変形例＞
上記の例では、本願発明を携帯電話機に適用する場合を例にあげて説明したが、本願発明は、表示機能を有する電子機器であれば、携帯電話機以外の電子機器にも適用することができる。
【０１００】
また以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１０１】
１  電子機器
１２０  表示パネル
３１０  距離取得部
３２０  視線検出部
３３０  加速度取得部
【図１】
2014106381.tif 000003
【図２】
2014106381.tif 000004
【図３】
2014106381.tif 000005
【図４】
2014106381.tif 000006
【図５】
2014106381.tif 000007
【図６】
2014106381.tif 000008
【図７】
2014106381.tif 000009